(57)【特許請求の範囲】
【請求項１】
画像形成装置とそれぞれが前記画像形成装置に対して印刷ジョブの実行依頼を行う複数の情報処理装置とから構成される画像形成システムにおける前記情報処理装置に、前記画像形成装置の状態を示すメッセージを前記情報処理装置の表示部へ表示させる処理を実行させるプリンタステータスモニタプログラムであって、
印刷ジョブの実行依頼を受け付けたことを示す複数の受付情報を前記画像形成装置から続けて受信した場合に、前記複数の受付情報の中に自装置の印刷ジョブに関する第１の受付情報及び第２の受付情報が存在し、且つ前記第１の受付情報と前記第２の受付情報との間に他装置の印刷ジョブに関する前記受付情報が存在すれば、前記自装置の印刷ジョブによって印刷された用紙の間に前記他装置の印刷ジョブによって印刷された用紙が混在する可能性を示す注意喚起メッセージを前記表示部に表示する注意喚起ステップと、を含むプリンタステータスモニタプログラム。
【請求項２】
前記注意喚起ステップは、前記第１の受付情報を受信してから前記第１の受付情報に関する印刷ジョブが終了したことを示す第１の終了情報を受信するまでの間に、前記第２の受付情報を受信した場合に、前記注意喚起メッセージを表示する請求項１に記載のプリンタステータスモニタプログラム。
【請求項３】
前記注意喚起ステップは、前記第１の受付情報を受信してから所定時間内に、前記第２の受付情報を受信した場合に、前記注意喚起メッセージを表示する請求項１に記載のプリンタステータスモニタプログラム。
【請求項４】
前記注意喚起ステップは、前記第１の受付情報に関する印刷ジョブが終了したことを示す第１の終了情報を受信した後に、前記第２の受付情報を受信した場合に、前記注意喚起メッセージを表示する請求項３に記載のプリンタステータスモニタプログラム。
【請求項５】
前記注意喚起ステップは、前記注意喚起メッセージを拡大表示する請求項１〜４の何れかに記載のプリンタステータスモニタプログラム。
【請求項６】
前記注意喚起ステップは、前記注意喚起メッセージの背景色を他のメッセージの背景色と異ならせて表示する請求項１〜請求項５の何れかに記載のプリンタステータスモニタプログラム。
【請求項７】
画像形成装置と、それぞれが前記画像形成装置に対して印刷ジョブの実行依頼を行う複数の情報処理装置と、からなる画像形成システムであって、
前記画像形成装置は、前記印刷ジョブの実行依頼に基づいて画像を用紙に形成する画像形成部と、前記印刷ジョブの実行依頼を受け付けたことを示す受付情報と前記印刷ジョブが終了したことを示す終了情報とを前記複数の情報処理装置のそれぞれに送信する送信部と、を備え、
前記複数の情報処理装置のそれぞれは、前記受付情報と前記終了情報とを受信する受信部と、請求項１〜請求項６の何れかに記載のプリンタステータスモニタプログラムを記憶する記憶部と、前記プリンタステータスモニタプログラムを実行する制御部と、を備える画像形成システム。
【発明の詳細な説明】
【技術分野】
【０００１】
この発明は、画像形成装置の状態を示すメッセージを表示部に表示するプリンタステータスモニタプログラム及び画像形成システムに関する。
【背景技術】
【０００２】
画像形成システムは、印刷ジョブを実行する画像形成装置と、それぞれが画像形成装置に対して印刷ジョブの実行依頼を行う複数の情報処理装置と、を備える。画像形成システムには、プリンタステータスモニタプログラムを情報処理装置にインストールして、インクの残量不足やジャムの発生等を示すエラーメッセージ、及び印刷ジョブの終了メッセージ等の画像形成装置の状態を示すメッセージを情報処理装置の表示部に表示するものがある。
【０００３】
画像形成システムにおいて、画像形成装置は、複数の情報処理装置のそれぞれから印刷ジョブの実行依頼を受け付けると、実行依頼を受け付けた順に印刷ジョブを実行する。画像形成装置は、各印刷ジョブによって印刷された用紙を排紙トレイ上に重ねて排紙するとともに、印刷ジョブが終了した旨を示す終了情報を情報処理装置へ送信する。情報処理装置は、自装置から実行依頼を行った印刷ジョブの終了情報を受信すると、終了メッセージを表示部に表示する。印刷ジョブの実行依頼を行ったユーザは、終了メッセージを確認しても、自身の用紙と他のユーザの用紙とが排紙トレイ上に混在しているか否かがわからないため、他のユーザの用紙を誤って持ち帰ることがある。
【０００４】
そこで、他のユーザの用紙が混在していることを知らせるために、複数のユーザからの印刷ジョブによって印刷された用紙が排紙トレイ上に混在するか否かを判断して、混在する場合にはその旨を音声で通知する画像形成装置がある（例えば、特許文献１参照。）。この画像形成装置は、ユーザから印刷ジョブの実行依頼を受け付けると当該ユーザの名称をリストに登録して、当該リストに複数のユーザの名称が登録されている場合にのみ排紙トレイ上に用紙が混在する旨を音声で通知する。また、排紙トレイ上の用紙がなくなると当該リストからユーザの名称をすべて削除する。
【先行技術文献】
【特許文献】
【０００５】
【特許文献１】特開２００４−１７３２１０号公報
【発明の概要】
【発明が解決しようとする課題】
【０００６】
しかし、特許文献１に記載の画像形成装置では、ユーザの用紙の下方に他のユーザの用紙が混在する場合と、ユーザの用紙の間に他のユーザの用紙が混在する場合と、を区別せずに、用紙が混在する旨を通知する。このため、２つの印刷ジョブに実行依頼を行ったユーザは、排紙トレイ上に排紙された自身の用紙の間に他のユーザの用紙が混在するか否かを毎回確認しなければならない。
【０００７】
また、この画像形成装置では、メッセージを音声で通知するため、画像形成装置の近くのユーザに音声を騒音として感じさせる場合や、画像形成装置の遠くのユーザへ音声を聞かせることができない場合がある。
【０００８】
この発明の目的は、ユーザの用紙の間に他のユーザの用紙が混在する可能性がある時のみに、用紙が混在する可能性がある旨を情報処理装置の表示部に表示することで、ユーザの用紙の間に他のユーザの用紙が混在するか否かの確認回数を減らすことができ、誤って他のユーザの用紙を持ち帰える頻度を低減することができるプリンタステータスモニタプログラム及び画像形成システムを提供することである。
【課題を解決するための手段】
【０００９】
この発明のプリンタステータスモニタプログラムは、注意喚起ステップを含み、画像形成装置とそれぞれが画像形成装置に対して印刷ジョブの実行依頼を行う複数の情報処理装置とから構成される画像形成システムにおける情報処理装置に、画像形成装置の状態を示すメッセージを情報処理装置の表示部へ表示させる処理を実行させる。注意喚起ステップは、印刷ジョブの実行依頼を受け付けたことを示す複数の受付情報を画像形成装置から続けて受信した場合に、複数の受付情報の中に、自装置の印刷ジョブに関する第１の受付情報及び第２の受付情報が存在し、且つ第１の受付情報と第２の受付情報との間に、他装置の印刷ジョブに関する受付情報が存在すれば、自装置の印刷ジョブによって印刷された用紙の間に他装置の印刷ジョブによって印刷された用紙が混在する可能性を示す注意喚起メッセージを表示部に表示する。
【００１０】
情報処理装置は、自装置から実行依頼を行った２つの印刷ジョブの間に他装置から印刷ジョブの実行依頼が行われた場合に、２つの印刷ジョブによって印刷された用紙の間に他のユーザの用紙が存在する可能性を示す注意喚起メッセージを表示部に表示する。
【００１１】
この構成において、注意喚起ステップは、第１の受付情報を受信してから第１の受付情報に関する印刷ジョブが終了したことを示す第１の終了情報を受信するまでの間に、第２の受付情報を受信した場合に、注意喚起メッセージを表示することが好ましい。
【００１２】
情報処理装置は、１回目の印刷ジョブの実行依頼を行ってから１回目の印刷ジョブが終了するまでの間に、他装置から印刷ジョブの実行依頼と自装置から２回目の印刷ジョブの実行依頼とが順に行われた場合に、注意喚起メッセージを表示部に表示する。２つの印刷ジョブの実行依頼を行ったユーザは、１回目の印刷ジョブが終了する前に２回目の印刷ジョブの実行依頼を行ったため、自身の用紙に他のユーザの用紙が混在していると考えずに、自身の用紙と一緒に他のユーザの用紙を持ち帰る可能性が高い。そこで、２つの印刷ジョブの実行依頼を行ったユーザの用紙の間に他のユーザの用紙が混在する可能性がある場合に注意喚起メッセージを表示することで、２つの印刷ジョブの実行依頼を行ったユーザは、自身の用紙の間に他のユーザの用紙が混在する可能性がある場合にのみ、自身の用紙の間に他のユーザの用紙が混在するか否かの確認をすればよい。このため、自身の用紙の間に他のユーザの用紙が混在するか否かの確認回数を減らすことができ、誤って他のユーザの用紙を持ち帰える頻度を低減することができる。
【００１３】
また、注意喚起ステップは、第１の受付情報を受信してから所定時間内に、第２の受付情報を受信した場合に、注意喚起メッセージを表示することが好ましい。
【００１４】
２つの印刷ジョブの実行依頼を行ったユーザは、２つの印刷ジョブによって印刷される用紙を纏めて取りに行く時に、自身の用紙の間に他のユーザの用紙が混在するか否かを確認する必要がある。２つの印刷ジョブの実行依頼を行ったユーザの用紙の間に他のユーザの用紙が混在する可能性がある場合に注意喚起メッセージを表示することで、２つの印刷ジョブの実行依頼を行ったユーザは、自身の用紙の間に他のユーザの用紙が混在する可能性がある場合にのみ、自身の用紙の間に他のユーザの用紙が混在するか否かの確認をすればよい。このため、自身の用紙の間に他のユーザの用紙が混在するか否かの確認回数を減らすことができ、誤って他のユーザの用紙を持ち帰える頻度を低減することができる。
【００１５】
また、注意喚起ステップは、第１の受付情報に関する印刷ジョブが終了したことを示す第１の終了情報を受信した後に、第２の受付情報を受信した場合に、注意喚起メッセージを表示することが好ましい。
【００１６】
情報処理装置は、自装置からの１回目の印刷ジョブの終了後に２回目の印刷ジョブの実行依頼を行い、且つこれら２つの印刷ジョブの実行依頼の間に他装置からの印刷ジョブの実行依頼が行われた場合に、注意喚起メッセージを表示部に表示する。２つの印刷ジョブの実行依頼を行ったユーザは、１回目の印刷ジョブの終了後に即座に自身の用紙を取りに行かずに、２回目の印刷ジョブの終了後に纏めて自身の用紙を取りに行くことがある。この際に、自身の用紙の間に他のユーザの用紙が混在するか否かを確認する必要がある。２つの印刷ジョブの実行依頼を行ったユーザの用紙の間に他のユーザの用紙が混在する可能性がある場合に注意喚起メッセージを表示することで、２つの印刷ジョブの実行依頼を行ったユーザは、自身の用紙の間に他のユーザの用紙が混在する可能性がある場合にのみ、自身の用紙の間に他のユーザの用紙が混在するか否かの確認をすればよい。このため、自身の用紙の間に他のユーザの用紙が混在するか否かの確認回数を減らすことができ、誤って他のユーザの用紙を持ち帰える頻度を低減することができる。
【００１７】
注意喚起ステップは、注意喚起メッセージを拡大表示することが好ましい。ユーザは、注意喚起メッセージが拡大表示されているため、一目で注意喚起メッセージが表示されていることに気が付くことができる。
【００１８】
注意喚起ステップは、注意喚起メッセージの背景色を他のメッセージの背景色と異ならせて表示することが好ましい。ユーザは、注意喚起メッセージの背景色が他のメッセージと背景色が異なるため、一目で注意喚起メッセージが表示されていることに気が付くことができる。
【００１９】
この発明の画像形成システムは、画像形成装置と、それぞれが画像形成装置に対して印刷ジョブの実行依頼を行う複数の情報処理装置と、からなる。画像形成装置は、画像形成部及び送信部を備える。画像形成部は、印刷ジョブの実行依頼に基づいて画像を用紙に形成する。送信部は、印刷ジョブの実行依頼を受け付けたことを示す受付情報と印刷ジョブが終了したことを示す終了情報とを複数の情報処理装置のそれぞれに送信する。複数の情報処理装置のそれぞれは、受付情報と終了情報とを受信する受信部、上述のプリンタステータスモニタプログラムを記憶する記憶部、及びプリンタステータスモニタプログラムを実行する制御部を備える。
【００２０】
画像形成装置は、複数の情報処理装置のそれぞれに対して、各情報処理装置のそれぞれから印刷ジョブの実行依頼を受け付けたことを示す受付情報と当該印刷ジョブが終了したことを示す終了情報とを送信する。各情報処理装置は、それぞれ、自装置から２つの印刷ジョブの実行依頼を受け付けたことを示す受付情報の間に他装置から印刷ジョブの実行依頼を受け付けたことを示す受付情報を画像形成装置から受信した場合に、注意喚起メッセージを表示部に表示する。
【発明の効果】
【００２１】
この発明によれば、同一の情報処理装置からの２つの印刷ジョブの実行依頼の間に他の情報処理装置から印刷ジョブの実行依頼が行われた時のみに注意喚起メッセージを情報処理装置の表示部に表示することで、２つの印刷ジョブの実行依頼を行ったユーザは、自身の用紙の間に他のユーザの用紙が混在するか否かの確認回数を減らすことができ、誤って他のユーザの用紙を持ち帰える頻度を低減することができる。
【図面の簡単な説明】
【００２２】
【図１】この発明に係る画像形成システムを構成する画像形成装置と情報処理装置の機能構成を示すブロック図である。
【図２】同画像形成装置のＣＰＵの印刷ジョブの受信時の処理内容を示すフローチャートである。
【図３】同ＣＰＵの印刷ジョブの終了時の処理内容を示すフローチャートである。
【図４】同情報処理装置のＣＰＵの印刷ジョブの実行依頼時の処理内容を示すフローチャートである。
【図５】同印刷ジョブの終了時に表示される終了画面の一例である。
【図６】同印刷ジョブの終了時に表示される注意喚起画面の一例である。
【図７】同注意喚起画面を表示するケースを示す図である。
【図８】同印刷ジョブの終了時における排紙トレイ上の用紙の図である。
【図９】同印刷ジョブの終了時に表示される終了画面の他の例である。
【図１０】同印刷ジョブの終了時に表示される終了画面の他の例である。
【図１１】第２の実施形態における同ＣＰＵの印刷ジョブの実行依頼時の処理内容を示すフローチャートである。
【図１２】同印刷ジョブの終了時に表示される注意喚起画面の一例である。
【図１３】第３の実施形態における同ＣＰＵの印刷ジョブの実行依頼時の処理内容を示すフローチャートである。
【図１４】（Ａ），（Ｂ）は同注意喚起画面を表示するケースを示す図である。
【発明を実施するための形態】
【００２３】
この発明の第１の実施形態に係る画像形成システム１００は、図１に示すように、画像形成装置１と、画像形成装置１に通信可能に接続された複数の情報処理装置（以下、ＰＣと称する。）２Ａ〜２Ｃと、から構成される。なお、画像形成装置１に接続されたＰＣの数は３台に限るものではなく、２台以上であればよい。
【００２４】
画像形成装置１は、操作部１１、画像読取部１２、画像形成部１３、用紙搬送部１４、通信部（この発明の送信部を含む。）１５、ＣＰＵ１６、ＲＯＭ１７、及びＲＡＭ１８を備える。
【００２５】
操作部１１は、タッチパネル機能を有する表示パネルとテンキー及びスタートキー等からなる操作キーとを備え、各種画像形成処理条件の設定入力や画像形成処理の開始指示を受け付ける。
【００２６】
画像読取部１２は、スキャナ機能を有し、原稿から画像を読み取って画像データを生成する。
【００２７】
画像形成部１３は、一例として電子写真方式の画像形成処理を行う。画像形成部１３は、他の方式によって画像形成処理を行ってもよい。
【００２８】
用紙搬送部１４は、用紙を積層して収納する用紙収納部を有し、用紙収納部に収納された用紙を１枚ずつ用紙搬送路へ搬送する。用紙搬送路は、用紙収納部から画像形成部１３を経て排紙トレイ（図１８参照。）１９まで形成されている。
【００２９】
通信部１５は、複数のＰＣ２Ａ〜２Ｃの通信部２４と接続されており、データの送受信を行う。
【００３０】
ＣＰＵ１６は、ＲＡＭ１８をワーキングエリアとして活用して、ＲＯＭ１７に記録された制御プログラムを実行する。図２に示すように、ＣＰＵ１６は、複数のＰＣ２Ａ〜２Ｃの何れかから印刷ジョブの実行依頼を受信するまで待つ（Ｓ１１）。ＣＰＵ１６は、印刷ジョブの実行依頼を受信すると、印刷ジョブの実行依頼を受信したことを示す受付情報を複数のＰＣ２Ａ〜２Ｃのそれぞれに送信する（Ｓ１２）とともに、受信した印刷ジョブを印刷キューに格納する（Ｓ１３）。受付情報には、印刷ジョブの実行依頼元の情報処理装置を識別するための装置情報と印刷ジョブを識別するためのジョブ情報とが含まれる。
【００３１】
図３に示すように、ＣＰＵ１６は、印刷キューに印刷ジョブが格納されているかを調べる（Ｓ２１）。ＣＰＵ１６は、印刷キューに印刷ジョブが格納されていると、印刷キューに格納されている印刷ジョブを順に取り出して実行する（Ｓ２２）。ＣＰＵ１６は、印刷ジョブが終了すると、印刷ジョブが終了したことを示す終了情報を複数のＰＣ２Ａ〜２Ｃのそれぞれに送信する（Ｓ２３）。終了情報には、印刷ジョブの実行依頼元の情報処理装置を識別するための装置情報と印刷ジョブを識別するためのジョブ情報とが含まれる。
【００３２】
また、ＰＣ２Ａは、パーソナルコンピュータであり、操作部２１、表示部２２、記憶部２３、通信部（この発明の受信部を含む。）２４、ＣＰＵ２５、ＲＯＭ２６、及びＲＡＭ２７を備える。なお、ＰＣ２Ｂ，２Ｃのそれぞれは、ＰＣ２Ａと同一構成からなる。
【００３３】
操作部２１は、キーボードやマウスであり、ユーザからの各種操作入力を受け付けて、操作入力内容を示す操作信号をＣＰＵ２５に出力する。
【００３４】
表示部２２は、モニタであり、ＣＰＵ２５の指示により各種画像が表示される。
【００３５】
記憶部２３は、ハードディスクであり、各種データを記憶する。
【００３６】
通信部２４は、画像形成装置１の通信部１５と接続されており、データの送受信を行う。
【００３７】
ＣＰＵ２５は、ＲＡＭ２７をワーキングエリアとして活用して、ＲＯＭ２６に記録された制御プログラムやプリンタステータスモニタプログラム２６１を実行する。プリンタステータスモニタプログラム２６１は、画像形成装置の状態を示すメッセージを表示部２２に表示するプログラムである。画像形成装置の状態を示すメッセージには、インクの残量不足やジャムの発生等を示すエラーメッセージ、及び印刷ジョブの終了メッセージ等が含まれる。
【００３８】
ＣＰＵ２５は、制御プログラムを実行して、操作部２１の操作信号に基づいて文書データを含む画像データを生成する。ＣＰＵ２５は、画像データに基づく画像を表示部２２に表示するとともに、当該画像データを記憶部２３に記憶する。ＣＰＵ２５は、操作部２１の操作信号に基づいて当該画像データを含む印刷ジョブの実行依頼を画像形成装置１に送信する。
【００３９】
以下、ＰＣ２Ａからの２つの印刷ジョブＡ、印刷ジョブＣの実行依頼の間に、ＰＣ２Ｂから印刷ジョブＢの実行依頼が行われた場合について説明する。すなわち、ＰＣ２Ａが印刷ジョブＡの受付情報（この発明の第１の受付情報に相当する。）、印刷ジョブＢの受付情報、印刷ジョブＣの受付情報（この発明の第２の受付情報に相当する。）を画像形成装置１から順に受信する場合について説明する。
【００４０】
ＰＣ２ＡのＣＰＵ２５は、プリンタステータスモニタプログラム２６１を実行して、図４に示すように、通信部２４を介して画像形成装置１からＰＣ２Ａの印刷ジョブＡの受付情報を受信するまで待つ（Ｓ３１）。なお、ＣＰＵ２５は、画像形成装置１から受付情報を受信すると、受付情報に含まれる装置情報とジョブ情報とを参照して、自装置の印刷ジョブＡの受付情報であるか否かを判断する。
【００４１】
ＣＰＵ２５は、印刷ジョブＡの受付情報を受信すると、通信部２４を介して画像形成装置１からの印刷ジョブＡの終了情報（この発明の第１の終了情報に相当する。）を受信したか否かを判断する（Ｓ３２）。ＣＰＵ２５は、印刷ジョブＡの終了情報を受信した場合に、一例として図５に示す終了画面を表示部２２に表示して（Ｓ３３）、処理を終了する。終了画面は、印刷ジョブが終了したこと示す画面である。
【００４２】
ＣＰＵ２５は、印刷ジョブＡの終了情報を受信するまで、ＰＣ２Ｂの印刷ジョブＢの受付情報を受信したか否かを判断する（Ｓ３４）。ＣＰＵ２５は、ＰＣ２Ｂの印刷ジョブＢの受付情報を受信すると、通信部２４を介して画像形成装置１から印刷ジョブＡの終了情報を受信したか否かを判断する（Ｓ３５）。ＣＰＵ２５は、印刷ジョブＡの終了情報を受信した場合に、一例として図５に示す終了画面を表示部２２に表示して（Ｓ３３）、処理を終了する。
【００４３】
ＣＰＵ２５は、印刷ジョブＡの終了情報を受信するまで、ＰＣ２Ａの印刷ジョブＣの受付情報を受信するか否かを判断する（Ｓ３６）。ＣＰＵ２５は、ＰＣ２Ａの印刷ジョブＣの受付情報を受信すると、通信部２４を介して画像形成装置１から印刷ジョブＡの終了情報を受信するまで待つ（Ｓ３７）。ＣＰＵ２５は、印刷ジョブＡの終了情報を受信すると、一例として図６に示す注意喚起画面（この発明の注意喚起メッセージに相当する。）を表示部２２に表示する（Ｓ３８）。注意喚起画面は、ＰＣ２Ａから実行依頼を行った２つの印刷ジョブＡ、印刷ジョブＣによって印刷された用紙の間に他のユーザの用紙が混在する可能性を示す画面である。
【００４４】
ＣＰＵ２５は、通信部２４を介して画像形成装置１から印刷ジョブＣの終了情報を受信するまで待つ（Ｓ３９）。ＣＰＵ２５は、印刷ジョブＣの終了情報を受信すると、終了画面を表示部２２に表示する（Ｓ４０）。
【００４５】
以上のように、ＰＣ２ＡのＣＰＵ２５は、１回目の印刷ジョブＡが終了するまでに２回目の印刷ジョブＣの実行依頼を行い、且つ１回目の印刷ジョブＡと２回目の印刷ジョブＣとの実行依頼の間にＰＣ２Ｂから印刷ジョブＢの実行依頼が行われた場合に、注意喚起画面を表示部２２に表示する（図７参照。）。印刷ジョブＣの終了後、図８に示すように、排紙トレイ１９上には、ＰＣ２Ａの印刷ジョブＡと印刷ジョブＣによって印刷された用紙の間に、ＰＣ２Ｂの印刷ジョブＢによって印刷された用紙が混在する可能性がある。
【００４６】
ユーザは、１回目の印刷ジョブＡが終了する前に２回目の印刷ジョブＣの実行依頼を行ったため、これら２つの印刷ジョブＡ、印刷ジョブＣによって印刷された用紙の間に他のユーザの用紙が混在していることを考えずに、自身の用紙と一緒に他のユーザの用紙を過って持ち帰る可能性が高い。そこで、２つの印刷ジョブＡ、印刷ジョブＣの実行依頼を行ったユーザの用紙の間に他のユーザの用紙が混在する可能性がある場合に注意喚起メッセージを表示することで、これら２つの印刷ジョブＡ、印刷ジョブＣの実行依頼を行ったユーザは、自身の用紙の間に他のユーザの用紙が混在する可能性がある場合にのみ、自身の用紙の間に他のユーザの用紙が混在するか否かの確認をすればよい。このため、自身の用紙の間に他のユーザの用紙が混在するか否かの確認回数を減らすことができ、誤って他のユーザの用紙を持ち帰える頻度を低減することができる。
【００４７】
なお、ＣＰＵ２５は、図９に示すように背景色を変更して注意喚起画面を表示してもよい、図１０に示すように、文字サイズや画面サイズを拡大して注意喚起画面を表示してもよい。また、背景色の変更と文字サイズや画面サイズの拡大とを行って注意喚起画面を表示してもよい。ユーザは、注意喚起画面が他の画面と異なる表示態様で表示されるため、一目で注意喚起画面が表示されていることに気が付くことができる。
【００４８】
また、第１の実施形態では、ＰＣ２ＡのＣＰＵ２５は、印刷ジョブＡの終了情報を受信した時に注意喚起画面を表示したが、印刷ジョブＣの受付情報又は印刷ジョブＣの終了情報を受信した時に、注意喚起画面を表示してもよい。
【００４９】
第２の実施形態に係る画像形成システムは、第１の実施形態に係る画像形成システム１００と、プリンタステータスモニタプログラム２６１の実行時のＣＰＵ２５の制御フローが相違する。以下、相違点についてのみ説明する。
【００５０】
ＣＰＵ２５は、タイマをＲＡＭ２７に展開する。
【００５１】
記憶部２３は、所定時間Ｔを記憶する。所定時間Ｔは、過去に実行依頼した印刷ジョブによって印刷された用紙の平均枚数に基づいて設定される。例えば、平均枚数が１０枚の場合は、１０枚の印刷に所用する時間（３０秒）と用紙を取りに行く時間（１分）との合計値である１分３０秒に設定される。また、平均枚数が１００枚の場合は、１００枚の印刷に所用する時間（５分）と用紙を取りに行く時間（１分）との合計値である６分に設定される。
【００５２】
以下、ＰＣ２Ａからの２つの印刷ジョブＡ、印刷ジョブＣの実行依頼の間に、ＰＣ２Ｂから印刷ジョブＢの実行依頼が行われた場合について説明する。すなわち、ＰＣ２Ａが印刷ジョブＡの受付情報（この発明の第１の受付情報に相当する。）、印刷ジョブＢの受付情報、印刷ジョブＣの受付情報（この発明の第２の受付情報に相当する。）を画像形成装置１から順に受信する場合について説明する。なお、図１１に示すフローチャートにおいて、印刷ジョブＡの終了情報を受信した際の処理を省略している。
【００５３】
ＰＣ２ＡのＣＰＵ２５は、プリンタステータスモニタプログラム２６１を実行して、図１１に示すように、通信部２４を介して画像形成装置１からＰＣ２Ａの印刷ジョブＡの受付情報を受信するまで待つ（Ｓ５１）。ＣＰＵ２５は、印刷ジョブＡの受付情報を受信すると、タイマによる計測を開始する（Ｓ５２）。ＣＰＵ２５は、タイマによる計測を開始してから所定時間Ｔが経過したか否かを判断する（Ｓ５３）。ＣＰＵ２５は、所定時間Ｔが経過した場合に処理を終了する。
【００５４】
ＣＰＵ２５は、所定時間Ｔが経過するまで、通信部２４を介して画像形成装置１からＰＣ２Ｂの印刷ジョブＢの受付情報を受信するまで待つ（Ｓ５４）。ＣＰＵ２５は、所定時間Ｔが経過する前に印刷ジョブＢの受付情報を受信すると、タイマによる計測を開始してから所定時間Ｔが経過したか否かを判断する（Ｓ５５）。ＣＰＵ２５は、所定時間Ｔが経過した場合に処理を終了する。
【００５５】
ＣＰＵ２５は、所定時間Ｔが経過するまで、通信部２４を介して画像形成装置１からＰＣ２Ａの印刷ジョブＣの受付情報を受信するまで待つ（Ｓ５６）。ＣＰＵ２５は、所定時間Ｔが経過する前に印刷ジョブＣの受付情報を受信すると、通信部２４を介して画像形成装置１から印刷ジョブＣの終了情報（第２の終了情報）を受信するまで待つ（Ｓ５７）。ＣＰＵ２５は、印刷ジョブＣの終了情報を受信すると、一例として図１２に示す注意喚起画面を表示部２２に表示する（Ｓ５８）。
【００５６】
以上のように、ＰＣ２ＡのＣＰＵ２５は、１回目の印刷ジョブＡの実行依頼を行ってから所定時間Ｔが経過する前に２回目の印刷ジョブＣの実行依頼を行い、且つ１回目の印刷ジョブＡと２回目の印刷ジョブＣの実行依頼の間にＰＣ２Ｂから印刷ジョブＢの実行依頼が行われた場合に、注意喚起画面を表示部２２に表示する。印刷ジョブＣの終了後、図８に示すように、排紙トレイ１９上には、ＰＣ２Ａの印刷ジョブＡと印刷ジョブＣによって印刷された用紙の間に、ＰＣ２Ｂの印刷ジョブＢによって印刷された用紙が混在する可能性がある。
【００５７】
２つの印刷ジョブＡ、印刷ジョブＣの実行依頼を行ったユーザは、２つの印刷ジョブＡ、印刷ジョブＣによって印刷される用紙を纏めて取りに行く時に、自身の用紙の間に他のユーザの用紙が混在するか否かを確認する必要がある。そこで、２つの印刷ジョブＡ、印刷ジョブＣの実行依頼を行ったユーザの用紙の間に他のユーザの用紙が混在する可能性がある場合に注意喚起画面を表示部２２に表示することで、２つの印刷ジョブＡ、印刷ジョブＣの実行依頼を行ったユーザは、自身の用紙の間に他のユーザの用紙が混在する可能性がある場合にのみ、自身の用紙の間に他のユーザの用紙が混在するか否かの確認をすればよい。このため、自身の用紙の間に他のユーザの用紙が混在するか否かの確認回数を減らすことができ、誤って他のユーザの用紙を持ち帰える頻度を低減することができる。
【００５８】
第３の実施形態に係る画像形成システムは、第２の実施形態に係る画像形成システム１００と、プリンタステータスモニタプログラム２６１の実行時のＣＰＵ２５の制御フローが相違する。第３の実施形態では、印刷ジョブＡが終了した後に、印刷ジョブＣの実行依頼が行われた場合にのみ、注意喚起画面を表示する点で、第２の実施形態と相違する。以下、相違点についてのみ説明する。
【００５９】
以下、ＰＣ２Ａからの２つの印刷ジョブＡ、印刷ジョブＣの実行依頼の間に、ＰＣ２Ｂから印刷ジョブＢの実行依頼が行われた場合について説明する。すなわち、ＰＣ２Ａが印刷ジョブＡの受付情報（この発明の第１の受付情報に相当する。）、印刷ジョブＢの受付情報、印刷ジョブＣの受付情報（この発明の第２の受付情報に相当する。）を画像形成装置１から順に受信する場合について説明する。
【００６０】
図１３に示すように、ＰＣ２ＡのＣＰＵ２５は、タイマによる計測を開始してから所定時間Ｔが経過したか否かを判断する（Ｓ５３）。ＣＰＵ２５は、所定時間Ｔが経過した場合に処理を終了する。
【００６１】
ＣＰＵ２５は、所定時間Ｔが経過するまで、通信部２４を介して画像形成装置１からＰＣ２Ｂの印刷ジョブＢの受付情報を受信したか否かを判断する（Ｓ５４）。ＣＰＵ２５は、印刷ジョブＢの受付情報を受信しない場合に、通信部２４を介して画像形成装置１から印刷ジョブＡの終了情報（この発明の第１の終了情報に相当する。）を受信したか否かを判断する（Ｓ６１）。ＣＰＵ２５は、印刷ジョブＡの終了情報を受信すると、一例として図５に示す終了画面を表示部２２に表示して（Ｓ６２）、Ｓ５３の処理へ進む。ＣＰＵ２５は、印刷ジョブＡの終了情報を受信しない場合は、そのままＳ５３の処理へ進む。
【００６２】
Ｓ５４の処理において、ＣＰＵ２５は、印刷ジョブＢの受付情報を受信すると、タイマによる計測を開始してから所定時間Ｔが経過したか否かを判断する（Ｓ５５）。ＣＰＵ２５は、所定時間Ｔが経過した場合に処理を終了する。
【００６３】
ＣＰＵ２５は、所定時間Ｔが経過していない場合に、印刷ジョブＡの終了情報が既に受信済みであるか否かを判断する（Ｓ６３）。ＣＰＵ２５は、印刷ジョブＡの終了情報が受信済みでない場合に、通信部２４を介して画像形成装置１から印刷ジョブＡの終了情報を受信するまで待つ（Ｓ６４）。ＣＰＵ２５は、印刷ジョブＡの終了情報を受信すると、一例として図５に示す終了画面を表示部２２に表示して（Ｓ６５）、Ｓ５５の処理へ進む。
【００６４】
Ｓ６３の処理において、ＣＰＵ２５は、印刷ジョブＡの終了情報を受信済みである場合に、通信部２４を介して画像形成装置１からＰＣ２Ａの印刷ジョブＣの受付情報を受信したか否かを判断する（Ｓ５６）。ＣＰＵ２５は、印刷ジョブＣの受付情報を受信しない場合にＳ５５の処理へ進み、受信した場合にＳ５７の処理へ進む。
【００６５】
以上のように、ＰＣ２ＡのＣＰＵ２５は、１回目の印刷ジョブＡの実行依頼を行ってから所定時間Ｔが経過するまでの間で且つ１回目の印刷ジョブＡが終了した後に２回目の印刷ジョブＣの実行依頼を行い、さらに１回目の印刷ジョブＡと２回目の印刷ジョブＣの実行依頼の間にＰＣ２Ｂから印刷ジョブＢの実行依頼が行われた場合に、注意喚起画面を表示部２２に表示する（図１４（Ａ）、図１４（Ｂ）参照。）。印刷ジョブＣの終了後、図８に示すように、排紙トレイ１９上には、ＰＣ２Ａの印刷ジョブＡと印刷ジョブＣによって印刷された用紙の間に、ＰＣ２Ｂの印刷ジョブＢによって印刷された用紙が混在する可能性がある。
【００６６】
２つの印刷ジョブＡ、印刷ジョブＣの実行依頼を行ったユーザは、１回目の印刷ジョブＡの終了後に即座に自身の用紙を取りに行かずに、２回目の印刷ジョブＣの終了後に纏めて自身の用紙を取りに行くことがある。この際に、自身の用紙の間に他のユーザの用紙が混在するか否かを確認する必要がある。２つの印刷ジョブＡ、印刷ジョブＣの実行依頼を行ったユーザの用紙の間に他のユーザの用紙が混在する可能性がある場合に注意喚起画面を表示部２２に表示することで、２つの印刷ジョブＡ、印刷ジョブＣの実行依頼を行ったユーザは、自身の用紙の間に他のユーザの用紙が混在する可能性がある場合にのみ、自身の用紙の間に他のユーザの用紙が混在するか否かの確認をすればよい。このため、自身の用紙の間に他のユーザの用紙が混在するか否かの確認回数を減らすことができ、誤って他のユーザの用紙を持ち帰える頻度を低減することができる。
【００６７】
なお、第２、第３の実施形態では、ＰＣ２ＡのＣＰＵ２５は、印刷ジョブＣの終了情報を受信した時に注意喚起画面を表示したが、印刷ジョブＣの受付情報を受信した時に、注意喚起画面を表示してもよい。
【００６８】
また、第２、第３の実施形態では、所定時間Ｔは、過去に実行依頼した印刷ジョブによって印刷された用紙の平均枚数に基づいて設定した。しかし、所定時間Ｔは、印刷ジョブの実行依頼を行う度に、当該印刷ジョブによって印刷される用紙の枚数に基づいて設定してもよい。
【００６９】
なお、上述の実施形態では、ＰＣ２Ａから実行依頼した２つの印刷ジョブＡ、印刷ジョブＣの間にＰＣ２Ｂの印刷ジョブＢの実行依頼が行われた場合を例に挙げて説明した。しかし、ＰＣ２Ａから実行依頼した２つの印刷ジョブＡ、印刷ジョブＣの間に、他装置から複数の印刷ジョブの実行依頼が行われた場合についても、注意喚起画面を表示してもよい。他装置からの実行依頼された印刷ジョブによって印刷される用紙の枚数が少なければ、誤って持ち帰る可能性が高いからである。
【００７０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７１】
１…画像形成装置
２Ａ〜２Ｃ…ＰＣ
２２…表示部
２４…通信部
２５…ＣＰＵ
２６…ＲＯＭ
２７…ＲＡＭ
２６１…プリンタステータスモニタプログラム
【図１】
0005921961.tif 000002
【図２】
0005921961.tif 000003
【図３】
0005921961.tif 000004
【図４】
0005921961.tif 000005
【図５】
0005921961.tif 000006
【図６】
0005921961.tif 000007
【図７】
0005921961.tif 000008
【図８】
0005921961.tif 000009
【図９】
0005921961.tif 000010
【図１０】
0005921961.tif 000011
【図１１】
0005921961.tif 000012
【図１２】
0005921961.tif 000013
【図１３】
0005921961.tif 000014
【図１４】
0005921961.tif 000015